(57)【特許請求の範囲】
【請求項１】
被測定者の身体の活動量を取得する活動量取得手段と、
単位期間の目標消費カロリーと、前記活動量取得手段が前記単位期間で取得する活動量から算出される算出消費カロリーとの差分、および被測定者の実年齢を用いて、前記単位期間で取得される活動量と同じ量の活動をする人の標準年齢を表す活動年齢を取得する手段と、
体組成を表す目標値と、被測定者について測定される体組成を表す測定値との差分、および被測定者の実年齢を用いて、被測定者の身体の年齢を指す体年齢を取得する手段と、
取得された前記活動年齢と前記体年齢とに基づく活動量の評価情報を出力する手段と、を備える、活動量計。
【請求項２】
前記評価情報を出力する手段は、さらに、
被測定者の実年齢、前記活動年齢および前記体年齢に基づく活動量の評価情報を出力する、請求項１に記載の活動量計。
【請求項３】
前記評価情報を出力する手段は、さらに、
前記活動年齢の軸と、当該軸に直交し且つ体年齢の軸で規定される座標平面において、被測定者について取得された前記活動年齢および前記体年齢により指示される位置に関連付けて、前記評価情報を出力する、請求項１または２に記載の活動量計。
【請求項４】
前記評価情報を出力する手段は、さらに、
前記活動年齢の軸を消費カロリーの軸に代替し、前記体年齢の軸を前記体組成を表す値の軸に代替し、前記座標平面において、被測定者について取得された前記活動年齢および前記体年齢により指示される位置に関連付けて、前記評価情報を出力する、請求項３に記載の活動量計。
【請求項５】
前記体組成を表す値は、基礎代謝量を指す、請求項１から４のいずれかに記載の活動量計。
【請求項６】
前記体組成を表す値は、体脂肪率を指す、請求項１から４のいずれかに記載の活動量計。
【請求項７】
前記評価情報を出力する手段は、さらに、
前記活動年齢と前記実年齢の差および前記体年齢と前記実年齢の差に基づき、活動量の評価情報を出力する、請求項１に記載の活動量計。
【請求項８】
プロセッサを用いて被測定者の活動量を管理する活動量管理方法であって、
プロセッサが、被測定者の身体の活動量を取得するステップと、
プロセッサが、単位期間の目標消費カロリーと、前記活動量を取得するステップにおいて前記単位期間で取得する活動量から算出される算出消費カロリーとの差分、および被測定者の実年齢を用いて、前記単位期間で取得される活動量と同じ量の活動をする人の標準年齢を表す活動年齢を取得するステップと、
プロセッサが、体組成を表す目標値と、被測定者について測定される体組成を表す測定値との差分、および被測定者の実年齢を用いて、被測定者の身体の年齢を指す体年齢を取得するステップと、
プロセッサが、取得された前記活動年齢と前記体年齢とに基づく活動量の評価情報をディスプレイに出力するステップと、を備える、活動量管理方法。
【請求項９】
プロセッサに活動量管理方法を実行させるためのプログラムであって、
前記活動量管理方法は、
プロセッサが、被測定者の身体の活動量を取得するステップと、
プロセッサが、単位期間の目標消費カロリーと、前記活動量を取得するステップにおいて前記単位期間で取得する活動量から算出される算出消費カロリーとの差分、および被測定者の実年齢を用いて、前記単位期間で取得される活動量と同じ量の活動をする人の標準年齢を表す活動年齢を取得するステップと、
プロセッサが、体組成を表す目標値と、被測定者について測定される体組成を表す測定値との差分、および被測定者の実年齢を用いて、被測定者の身体の年齢を指す体年齢を取得するステップと、
プロセッサが、取得された前記活動年齢と前記体年齢とに基づく活動量の評価情報をディスプレイに出力するステップと、を備える、プロセッサに活動量管理方法を実行させるためのプログラム。
【請求項１０】
被測定者の活動量を測定する測定装置と、情報処理装置とを備えるシステムであって、
前記測定装置は、
被測定者の活動強度を測定する手段と、
活動強度と、測定日時とが関連付けされた測定データを出力する手段と、を含み、
前記情報処理装置は、
前記測定装置から出力される前記測定データを受理する手段と、
前記測定データから、被測定者の身体の活動量を取得する活動量取得手段と、
単位期間の目標消費カロリーと、前記活動量取得手段が前記単位期間で取得する活動量から算出される算出消費カロリーとの差分、および被測定者の実年齢を用いて、前記単位期間で取得される活動量と同じ量の活動をする人の標準年齢を表す活動年齢を取得する手段と、
体組成を表す目標値と、被測定者について測定される体組成を表す測定値との差分、および被測定者の実年齢を用いて、被測定者の身体の年齢を指す体年齢を取得する手段と、
取得された前記活動年齢と前記体年齢とに基づく活動量の評価情報を出力する手段と、を含む、システム。
【発明の詳細な説明】
【技術分野】
【０００１】
本発明は被測定者の身体の活動量を測定する活動量計に関し、特に、身体活動量に関する情報を出力する活動量計に関する。
【背景技術】
【０００２】
活動量計としては、特許文献１と２には、加速度センサを利用して身体活動の運動強度または消費カロリーを計測する方法が示される。特許文献１の活動量計では、加速度センサの出力信号から、一定時間ｔｗにおける加速度の標準偏差Ｓｗが算出され、予め用意された換算式を用いて標準偏差Ｓｗから運動強度ｗｉが算出される。また、特許文献２の装置では、３軸の加速度からベクトル合成によって運動質量の力積が計算され、運動種類に対応して力積から消費エネルギーが計算される。運動種類は、合成ベクトルによる力積と、前後、左右、上下方向の力積との比に基づいて判定される。
【０００３】
特許文献３では、消費エネルギー履歴と基準データとを比較して、ユーザの活動状態がどの年代の活動パターンに相当するかが算出される。
【０００４】
特許文献４では、算出した活動量から食事摂取量を判定し、その結果を表示する構成が示される。
【先行技術文献】
【特許文献】
【０００５】
【特許文献１】特開２００６−２０４４４６号公報
【特許文献２】特開２００１−２５８８７０号公報
【特許文献３】特開２０１０−１７５２５号公報
【特許文献４】特開２００８−２５０９６７号公報
【発明の概要】
【発明が解決しようとする課題】
【０００６】
特許文献１または２の活動量計は、被測定者の活動量を消費カロリーとして出力するが、消費カロリーが同年齢の人に比較して多いのか少ないのか、また、何歳ぐらいの人の消費カロリーに相当するのかわかりにくい。これを補うために、特許文献３では、ユーザの活動状態がどの年代の活動パターンに相当するかが算出される。
【０００７】
その一方で、近年の健康志向の高まりから、ユーザは個人毎に、活動量（消費カロリー）を評価し、健康志向を満足させるようなアドバイスを求めているが、上述の従来の技術は、その要求に応えるものではなかった。
【０００８】
それゆえに、この発明の目的は、活動量を評価する情報を出力する活動量計を提供することである。
【課題を解決するための手段】
【０００９】
この発明に係る活動量計は、被測定者の身体の活動量を取得する活動量取得手段と、単位期間の目標消費カロリーと、活動量取得手段が単位期間で取得する活動量から算出される算出消費カロリーとの差分に関する第１指標を取得する手段と、体組成を表す目標値と、被測定者について測定される体組成を表す測定値との差分に関する第２指標を取得する手段と、取得された第１指標と第２指標とに基づく活動量の評価情報を出力する手段と、を備える。
【発明の効果】
【００１０】
本発明によれば、活動量を評価する情報を出力することができる活動量計を提供することができる。
【図面の簡単な説明】
【００１１】
【図１】本発明の実施の形態に係る活動量計の外観と装着態様を説明する図である。
【図２】本発明の実施の形態に係る活動量計を含むシステムのハードウェア構成を示す図である。
【図３】本発明の実施の形態に係る活動量計の機能構成図である。
【図４】本発明の実施の形態に係るメモリの記憶内容例を示す図である。
【図５】本発明の実施の形態に係る処理フローチャートである。
【図６】本発明の実施の形態に係る表示の一例を示す図である。
【図７】本発明の実施の形態に係る表示の他の例を示す図である。
【図８】本発明の実施の形態に係る老化指数の算出のフローチャートである。
【図９】本発明の実施の形態に係る老化指数に対応したメッセージのテーブルの一例を示す図である。
【発明を実施するための形態】
【００１２】
以下、本発明の実施の形態について、図を参照して詳細に説明する。なお、以下に示す実施の形態においては同一または対応する部分に図中同一の符号を付し、その説明は繰返さない。
【００１３】
まず、本実施の形態で用いる用語について説明する。本実施の形態では、「活動年齢」とは、所定期間において活動した場合の被測定者の消費カロリーの総量を、同一の期間で活動することにより消費する人の標準的（または平均的）年齢を表している。ここでは、説明を簡単にするために、所定期間は１日単位とする。
【００１４】
また、「実年齢」とは、暦に従う年齢（生まれた時から数えた年齢）を指す。
また、「体年齢」とは、身体の年齢を、より特定的には身体組成に基づく体の年齢を指す。身体組成の情報としては、代表的には、基礎代謝量を用いるものとするが、これに限定されるものではない。
【００１５】
本実施の形態では、身体の活動強度を指す指標としてＭＥＴｓ（ＭＥＴs：Medical Evangelism Training & Strategies）を用いる。ＭＥＴｓとは、身体活動の強さを、安静時の何倍に相当するかで表す単位であり座って安静にしている状態が１ＭＥＴｓ、普通歩行が３ＭＥＴｓに相当する。
【００１６】
また、エクササイズ(Ex)とは身体の活動量を表す単位であり、身体の活動強度(ＭＥＴｓ)に身体活動の実施時間(時：Hour)をかけたものである。
【００１７】
本実施の形態では、活動量計として歩数を計測するものを例示するが、歩数計測によるものに限定されない。つまり、運動や生活活動（たとえば、掃除機をかける、荷物運び、炊事など）を含む身体活動による活動量を測定することができる機能を有する装置であればよい。活動量計は複数の被測定者により共用可能であるが、ここでは説明を簡単にするために使用する被測定者は１人であると想定する。
【００１８】
図１の（Ａ）を参照して、活動量計１００の筐体には、カウントされた歩数、活動強度、活動年齢などの各種情報が表示可能なディスプレイ２０、および被測定者による操作を受け付けるための各種のボタンを有する操作部３０が設けられる。操作部３０は、活動年齢の出力を要求するために被測定者が操作するボタン３１を含む。
【００１９】
被測定者は、図１の（Ｂ）に示されるように、衣服のポケット等に活動量計１００を収容した状態で運動や生活活動を含む身体活動を行う。
【００２０】
図２を参照して、活動量計１００を含むシステムを参照しつつ、ハードウェア構成を説明する。システムは、活動量計１００、外部の装置２００および３００を含み、これらは相互に通信する。
【００２１】
活動量計１００はハードウェアとして、たとえば、全体を制御するためのＣＰＵ（Central Processing Unit）１０、ディスプレイ２０、操作部３０、加速度センサとＭＰＵ（Micro-Processing Unit）を含む加速度センサ部４０、ＣＰＵ１０で実行されるプログラム、データなどを記憶するためのメモリ５０、外部装置と無線または有線により通信するための通信Ｉ／Ｆ（Interfaceの略）６０、電池等の電源７０、音声を出力するための音声出力部８０、および計時して時間データを出力するタイマ９０を含む。
【００２２】
活動量計１００は、通信Ｉ／Ｆ６０を介して外部の装置２００および３００と無線または有線により通信する。装置２００は、たとえば携帯型端末（ＰＤＡ（Personal Digital Assistant）、携帯電話など）、または据置き型のコンピュータに相当し、装置３００は、被測定者の体重および体組成を測定する機能を有する。ここでは、体組成は身体の筋肉量、骨量、脂肪量など身体の組成を指す。
【００２３】
装置２００はハードウェアとして、たとえば、ＣＰＵ２０１、メモリ２０２、出力部２０３、入力部２０４、通信Ｉ／Ｆ２０５、およびＣＤ−ＲＯＭ（compact disk read only memory）２０６のデータをアクセスするためのデバイスドライバ２０７を含む。デバイスドライバ２０７は、ＣＤ−ＲＯＭ２０６が着脱自在に装着されて、装着されたＣＤ−ＲＯＭ２０６のデータ（プログラムを含む）を読出し、または、装着されたＣＤ−ＲＯＭ２０６にデータを書込む。
【００２４】
装置３００は、被測定者の身長、体重および体組成（体脂肪など）を測定する体重・体組成測定部３０１、これら測定された情報を外部に送信するための通信Ｉ／Ｆ３０２、およびタイマ３０３を含む。測定された体重と体組成情報とは、タイマ３０３が計時する測定時間を指す計時データがそれぞれ付加された体重データと体組成データとして、通信Ｉ／Ｆ３０２および６０を介し、活動量計１００に送信される。タイマ３０３とタイマ９０とは、同期した計時動作をするように調整される。体重・体組成測定部３０１は、体重計の機能を有し、被測定者の体重を測定する。また、被測定者から測定した生体インピーダンスに基づき体組成値を算出する機能を有する。
【００２５】
図３には、ＣＰＵ１０の制御の下に動作する機能の構成が示される。機能として、被測定者の身体の活動量を取得するための活動量取得部１１、取得される活動量に基づく所定期間の総消費カロリーを算出するための消費カロリー算出部１２、算出される所定期間の消費カロリーから活動年齢を取得するための活動年齢取得部１３、基礎代謝量を取得するための基礎代謝量取得部１５、体年齢を取得するための体年齢取得部１６、および活動量を評価する情報を取得するための評価取得部１７、および各種の情報を外部に出力するための出力処理部１８を含む。出力処理部１８が出力する情報には画像が含まれて、出力処理部１８は、当該画像を生成する画像生成部１９を含む。これら各部は、プログラム、またはプログラムと回路モジュールの組合わせに相当する。
【００２６】
（活動量による消費カロリーの算出）
活動量取得部１１は、加速度センサ部４０からの活動強度の入力とタイマ９０からの時間データの入力とを受付ける。加速度センサ部４０からの活動強度と、タイマ９０からの時間データとを関連付けた活動強度データＭｉ（後述する）を取得し、取得した活動強度データＭｉを、メモリ５０に格納する。活動強度に関連付けされた時間データは、活動強度が測定された運動の実施日時を指す。
【００２７】
加速度センサ部４０は、一般的な歩数計による歩数の測定と同様に歩数を測定する。加速度センサは、活動量計１００に加えられる加速度を検出する。検出した加速度は電圧信号として導出される。ＭＰＵは、加速度センサからの出力信号を処理する。たとえば、加速度センサから逐次出力される信号に基づき、しきい値以上の加速度が検知された場合に、その回数を１歩としてカウントするように処理する。
【００２８】
加速度センサ部４０のＭＰＵは、測定動作として、予め規定されている所定の時間間隔（たとえば２０秒間隔等）を単位時間として、加速度センサから入力する加速度信号に基づき測定された加速度データを用いて、単位時間あたりの活動強度（単位：ＭＥＴｓ）を算出する。活動強度の具体的な算出方法は、たとえば、出願人による特開２００９−２８３１２号公報に開示されている手法など、公知の手法を用いて算出することができる。
【００２９】
活動強度は、歩行のピッチ（単位時間当たりの歩数）および予め入力されている被測定者の身長に依存する、身体活動の強さを表わす指標である。たとえば、安静にしている状態は１ＭＥＴｓに相当し、普通歩行（４ｋｍ／時）は３ＭＥＴｓに相当し、掃除機をかけるは３．５ＭＥＴｓに相当し、ジョギングは７ＭＥＴｓに相当する（健康づくりのための運動指針「エクササイズガイド２００６」(厚生労働省）より）。
【００３０】
活動強度は、上述した加速度信号に従い検出される体動に基づき算出する方法に代替して、被測定者から検出する心拍数と所定の演算式とを用いて算出する方法であってもよい。
【００３１】
図４には、メモリ５０の記憶内容が例示される。図４を参照してメモリ５０は、活動強度データＭｉ（ｉ＝１、２、３、…ｎ）が格納される領域Ｅ１、総消費カロリーを活動年齢に換算するための換算式に用いられる複数種類の係数からなる係数データ群５１が格納される領域Ｅ２、領域Ｅ３、およびテーブル６０と画像データ６１とを格納するための領域Ｅ４を含む。係数データ群５１の各係数は、実験により予め算出されて格納されていると想定する。
【００３２】
活動強度データＭｉは、測定された活動強度と、当該活動が実施された時間を指す測定時間とを含む。係数データ群５１の各係数の値は、操作部３０を介した被測定者の操作により可変であるとしてもよい。
【００３３】
領域Ｅ３には、被測定者について算出された消費カロリー５２、算出された基礎代謝量５３、取得された活動年齢５４が格納され、さらに、被測定者の実年齢５６、被測定者の体重、身長などを含む体格データ５７、被測定者の性別を指す性別データ５８、および被測定者の体年齢５９が格納される。実年齢５６、体格データ５７および性別データ５８は被測定者の身体に関する身体情報を表す。
【００３４】
領域Ｅ４の画像データ６１は、ディスプレイ２０に表示される画像を生成するために用いるデータ、および生成されて表示されるべきデータを含む。
【００３５】
図５には、本実施の形態に係る処理フローチャートが示される。この処理フローチャートに従う処理は、ＣＰＵ１０が、メモリ５０から所定プログラムを読出し、読出したプログラムの各命令を実行することにより実現される。図５のフローチャートに従って被測定者の活動年齢および体年齢の算出と、情報の出力について説明する。なお、メモリ５０の領域Ｅ１には十分な件数の活動強度データＭｉが格納されていると想定する。
【００３６】
被測定者が操作部３０のボタン３１を操作すると、ＣＰＵ１０は当該操作を受付ける。具体的には、当該ボタン３１の操作により操作部３０から出力される操作信号に基づき、ＣＰＵ１０は図５の処理を開始する。処理が開始されると、活動量取得部１１は、メモリ５０の領域Ｅ１から読出す活動強度データＭｉに基づき、所定期間の活動量を取得する（ステップＳ１）。続いて、基礎代謝量取得部１５は、被測定者の所定期間の基礎代謝量を算出する（ステップＳ３）。基礎代謝量の算出手順の詳細は後述する。そして、消費カロリー算出部１２は、取得された活動量に基づき、上述の算出式に従って所定期間の消費カロリーを算出する（ステップＳ５）。
【００３７】
活動年齢取得部１３は、算出された消費カロリーおよび基礎代謝量、ならびに係数データ群５１の係数を用いて所定換算式に従って、活動年齢を算出する（ステップＳ７）。活動年齢の算出手順の詳細は後述する。
【００３８】
体年齢取得部１６は、後述する手順に従って体年齢を算出する。算出された活動年齢および体年齢は、出力処理部１８に与えられる。出力処理部１８の画像生成部１９は、入力する活動年齢と体年齢とに基づき、画像データを生成する。生成した画像データは、領域Ｅ４に格納される。出力処理部１８は、領域Ｅ４の生成された画像データなど、各種の情報をディスプレイ２０に表示する（ステップＳ１３）。以上により、処理は終了する。
【００３９】
次に、上述の各部の算出手順について説明する。
（基礎代謝量の算出方法）
基礎代謝量取得部１５による基礎代謝量の算出（ステップＳ３）について説明する。基礎代謝量取得部１５は、理論的基礎代謝量５３１と、体組成情報に基づく基礎代謝量５３２とを算出する。
【００４０】
理論的基礎代謝量５３１の算出について説明する。理論上の１日の基礎代謝量は（式１）で算出できることが知られており、基礎代謝量取得部１５は、（式１）を用いて理論的基礎代謝量５３１を算出する。なお、（式１）は、European Journal of Clinical Nutrition (2007), 1-6 Ganpule AA, et al. Interindividual variability in sleeping metabolic rate in Japanese subjects.により提案されるものである。
【００４１】
理論的基礎代謝量５３１=(0.0481×W+0.0234×H-0.0138×R-0.5473×F+0.1238)×239 （式１）ただし、Wは体重、Hは身長、Rは実年齢、およびFは性別を指す。Wの体重の単位はｋｇを指し、Hの身長の単位はｃｍを指す。Fは男の場合は１を指し、女の場合は２を指す。
【００４２】
なお、基礎代謝量の算出式は（式１）に限定されるものではなく他の演算式であってもよい。また、算出式に用いるパラメータの種類および値も（式１）に示すものに限定されるものではなく、たとえば、基礎代謝量を生体情報から算出し、算出した基礎代謝量から実験的にパラメータの種類および値を決定するようにしてもよく、係数データ群５１から所定の値を読出すようにしてもよい。
【００４３】
体組成情報に基づく基礎代謝量５３２は、体重・体組成測定部３０１により被測定者について測定された体組成情報から算出する。体組成情報から算出する方法としては、体重・体組成測定部３０１により測定された除脂肪量を用いて、基礎代謝量５３２＝Ａ×ＦＦＭ＋Ｂの式に従って算出することができる（ＦＦＭ：除脂肪量、Ａ，Ｂ：定数）。
【００４４】
（消費カロリーの算出方法）
消費カロリー算出部１２による消費カロリーの算出（ステップＳ５）について説明する。消費カロリー算出部１２は、理想的消費カロリー５２１と、測定消費カロリー５２２とを算出する。
【００４５】
まず、理想的消費カロリー５２１は、１日の身体活動レベルＰＡＬ（PAL：Physical Activity Level）を用いて算出する。ＰＡＬは、１日の総消費カロリー（単位：kcal）/１日の基礎代謝量（単位：kcal）から算出されることが知られており、活動量が“ふつう”であれば身体活動レベルＰＡＬは１．６０〜１．９０であることが知られている。ここでは、その代表値として中間値である１．７５を採用する。
【００４６】
したがって、ＰＡＬを用いれば、「理想的消費カロリー」[kcal/日]=理論的基礎代謝量５３１[kcal/日]×1.75の式が成立し、この式から理想的消費カロリー５２１を導出するする。
【００４７】
次に、測定消費カロリー５２２の算出を説明する。測定消費カロリー５２２は、被測定者の運動による消費カロリーを指す。消費カロリー算出部１２は、次の式に従って測定消費カロリー５２２を算出する。測定消費カロリー（kcal/日）＝活動強度(ＭＥＴｓ）×体重（ｋｇ）×１日の活動継続時間（Hour）×１．０５（厚生労働省  健康づくりのための運動指針「エクササイズガイド２００６」より）。ここで、活動強度と活動継続時間は活動強度データＭｉから取得でき、体重はメモリ５０の体格データ５７から取得することができる。
【００４８】
（活動年齢の算出方法）
活動年齢取得部１３による活動年齢の取得（ステップＳ７）について説明する。
【００４９】
活動年齢取得部１３は、以下の式に従って活動年齢を算出する。なお、式の係数k1は係数データ群５１から読出される。
【００５０】
活動年齢［歳］
＝実年齢［歳］＋k1（理想的消費カロリー５２１−測定消費カロリー５２２）
この式が、活動年齢は、所定期間における被測定者の消費カロリーの総量を、同一の期間で活動することにより消費する人の標準的（または平均的）年齢を表わしている。
【００５１】
なお、活動年齢取得部１３は、活動年齢を演算式で算出するのに代替して、テーブルを検索することにより取得してもよい。つまり、実年齢毎に、（理想的消費カロリー５２１−測定消費カロリー５２２）の値と、上述の式に従って算出される活動年齢とを対応付けて格納したテーブルをメモリ５０に予め格納しておく。活動年齢取得部１３は、被測定者の実年齢と、（理想的消費カロリー５２１−測定消費カロリー５２２）とに基づき、テーブルを検索して活動年齢を読出すようにしてもよい。
【００５２】
（体年齢の算出方法）
体年齢取得部１６は、次の式に従って体年齢を算出する。なお、式の係数k2は係数データ群５１から読出される。
【００５３】
体年齢［歳］
＝実年齢［歳］＋k2（理論的基礎代謝量５３１−体組成情報に基づく基礎代謝量５３２）
この式によれば、体年齢とは、基礎代謝をもとに算出される体の年齢を表わす。したがって、（理論的基礎代謝量５３１＝体組成情報に基づく基礎代謝量５３２）の場合には、体年齢は実年齢を指し、体は年相応の年齢であることを表わすことができ、（理論的基礎代謝量５３１＞体組成情報に基づく基礎代謝量５３２）の場合には、体組成情報に基づく基礎代謝量５３２が少ないために、体年齢は実年齢を超えてしまい、体は実年齢よりも老化傾向にあることを表す。
【００５４】
また、（理論的基礎代謝量５３１＜体組成情報に基づく基礎代謝量５３２）の場合には、体組成情報に基づく基礎代謝量５３２が多く、体年齢は実年齢未満となり、体は実年齢よりも若い傾向にあることを表す。
【００５５】
（画像の生成と表示）
上述の手順に従って、各種年齢が取得されると、取得された年齢は領域Ｅ３に格納される。画像生成部１９は、領域Ｅ３から各種年齢を読出し、領域Ｅ４の画像データ６１を用いて図６に示す表示用の画像データを生成する。
【００５６】
画像生成部１９は、体年齢と実年齢の差または活動年齢と実年齢の差に基づいた、食事や活動に関するアドバイスのメッセージを含む画像データを生成し、出力処理部１８に出力する。出力処理部１８は、入力する画像データに基づきディスプレイ２０に画像を表示する。表示の一例が、図６に示される。
【００５７】
図６には、活動年齢を表わす軸と、この軸に直交する体年齢を表わす軸とを用いて規定される二次元の座標平面において、２軸の直交点に実年齢を位置づけている。図６の二次元平面は、直交する２軸により４つの領域７０Ａ〜７０Ｄに区分される。領域７０Ａ〜７０Ｄでは、体年齢と活動年齢の両者の相互の関連性に基づいた活動量を評価することによるアドバイス情報が提示される。
【００５８】
領域７０Ａは活動量不足の領域を指す。具体的には、実年齢に比較し体年齢は若いけれども活動年齢が高い（老齢）から活動量不足であり、日々の活動で健康体質へ改善可能である旨のアドバイスが表示される。
【００５９】
領域７０Ｂは老化体質の領域を指す。具体的には、実年齢に比較し体年齢および活動年齢ともに老齢（年齢が高い）から老化体質であり、早急に日常生活における活動量または体質の改善をしなければならない旨のアドバイスが表示される。
【００６０】
領域７０Ｃは体脂肪率過多の領域を表わす。具体的には、実年齢に比較し体年齢は老齢（高い）であるけれども活動年齢は若いから体脂肪率過多であり、日々の食生活で健康体質への改善が可能である旨のアドバイスが表示される。
【００６１】
領域７０Ｄは健康体質の年齢領域を表わす。具体的には、実年齢に比較し体年齢および活動年齢は若いから、今後も健康体であり続ける理想状態である旨のアドバイスが表示される。
【００６２】
各領域に表示されるアドバイスの情報は、テーブルを検索することで取得してもよい。つまり、体年齢５９と実年齢５６の差と活動年齢５４と実年齢５６の差に対応付けてメモリ５０の所定テーブル（図示せず）に予めアドバイスの情報が格納されており、画像生成部１９は、体年齢５９と実年齢５６の差または活動年齢５４と実年齢５６の差を算出し、算出した差に基づきテーブルを検索することで、対応するアドバイスの情報を取得する、としてもよい。
【００６３】
図６では、各領域の表示色を異ならせることで区分を明瞭化してもよい。また、被測定者の活動年齢および体年齢が該当する領域（図６の場合、領域７０Ｂ）を、被測定者の注意を惹くようにブリンク表示などして、他の領域とは異なる態様で表示してもよい。
【００６４】
また、図６では、領域７０Ｄ向きの矢印を表示することにより、被測定者に対して、活動年齢および体年齢が領域７０Ｄの健康体質へ向かうように生活改善するように注意を喚起することができる。
【００６５】
なお、図６では、ステップＳ７とＳ９で取得した活動年齢５４および体年齢５９を表示するようにしてもよく、または、体年齢５９と実年齢５６の差および活動年齢５４と実年齢５６の差を表示するようにしてもよい。
【００６６】
体年齢、活動年齢および実年齢に基づいた、食事や活動量に関するアドバイスの表示態様は、図６に限定されない。
【００６７】
つまり、活動年齢、体年齢および実年齢の３種類の年齢は、体組成情報の観点から捉えると、活動年齢は上述の算出式に示すように総消費カロリー（＝運動量）の指標と見なすことができる。
【００６８】
また、体年齢は体脂肪率（≒食生活）の指標と見なすことができる。つまり、上述の算出式に従えば体年齢は体組成情報（より、特定的には除脂肪量）を用いて算出されるから、体脂肪率が高いと体年齢は大きくなり、体脂肪率が低いと体年齢は小さくなる。したがって、体年齢を体脂肪率と見なすことができる。ここで、体脂肪率は、食生活を脂肪の少ない内容に変更することで改善することができるから、体年齢に従えば、食事内容のアドバイス提示が可能になる。
【００６９】
図７には、図６の活動年齢の軸を総消費カロリー、体年齢の軸を基礎代謝量もしくは体脂肪率のパラメータに置き換えて、領域７０Ａ〜７０Ｄを領域８０Ａ〜８０Ｄに代替した表示例が示される。
【００７０】
図７は実年齢：４０歳、体年齢：４５歳および活動年齢：３５歳の場合において、取得された活動年齢と体年齢とが表示されて、この２つの年齢により該当する領域にマーク８１がプロットされて表示される。マーク８１が表示される領域を確認することで、被測定者は自己の基礎代謝量（体脂肪率）が実年齢のそれよりも多い／少ないを確認することができるとともに、自己の総消費カロリーが実年齢のそれよりも多い／少ないを確認することができて、食生活の改善および活動量の改善の動機づけを得ることができる。
【００７１】
また、被測定者が、表示されたマーク８１を操作部３０を介してクリック操作などして指定すると、出力処理部１８は当該領域に対応のアドバイスを、図６で説明したテーブルから検索して読出し、ディスプレイ２０に表示する。たとえば、“日々の活動量は問題ありません。食生活をコントロールすることで、さらに若々しい体を目指しましょう”のアドバイスが表示される。
【００７２】
図６と７で表示されるアドバイスは、表示とともに、または表示に代替して音声出力部８０から音声で出力されるとしてもよい。
【００７３】
（老化指数の取得）
本実施の形態では、評価取得部１７は、体年齢５９と実年齢５６の差、および活動年齢５４と実年齢５６の差を用いて、被測定者の体年齢の評価、すなわち老化の程度を評価する。ここでは、評価取得部１７が算出する当該評価値を、「老化指数」と呼ぶ。
【００７４】
算出された老化指数は、出力処理部１８によりディスプレイ２０または音声出力部８０を介して出力される。出力処理部１８は、「老化指数」を、このままの生活（活動量、食生活など）を継続する場合には、体年齢が改善するか悪化するかを表す生活改善のアドバイス情報として出力する。老化指数の算出と、生活改善のアドバイス情報の出力について、以下に説明する。
【００７５】
まず、図８のフローチャートに従って老化指数の算出手順を説明する。図８を参照して、評価取得部１７はメモリ５０から体年齢５９、実年齢５６および活動年齢５４を読出し、Ｂ＝（体年齢５９−実年齢５６）を算出し（ステップＳ９０）、Ａ＝（活動年齢５４−実年齢５６）を算出する（ステップＳ９１）。
【００７６】
そして、評価取得部１７は値Ａと値Ｂの符号が同じであるか否かを判する（ステップＳ９３）。符号が同じと判定すると（ステップＳ９３でＹＥＳ）、老化指数＝Ａ＋Ｂを算出し（ステップＳ９５）、符号が同じではなく相違すると判定すると（ステップＳ９３でＮＯ）、老化指数＝Ａと算出する（ステップＳ９７）。以上で老化指数の算出が終了する。
【００７７】
本実施の形態では、老化指数が算出されると、算出された老化指数に応じた生活改善のアドバイスが出力される。図９には、老化指数に応じた生活改善のアドバイスのデータを格納するテーブル６０の一部が抜粋して例示される。
【００７８】
図９を参照してテーブル６０には、老化指数の値６０１と、老化指数の値のそれぞれに対応したアドバイスのデータ６０２とを有するレコードＲ１〜Ｒ８が格納される。図９では、説明のために、各レコードに関連付けて、当該レコードの老化指数の算出に用いた実年齢５６、体年齢５９および活動年齢５４が例示される。
【００７９】
評価取得部１７が算出した老化指数は、出力処理部１８に与えられる。出力処理部１８は、入力する老化指数の値に基づきテーブル６０を検索して、該当するレコードを特定する。特定したレコードに格納されるアドバイスのデータ６０２を読出し、読出したアドバイスのデータ６０２をディスプレイ２０または音声出力部８０を介して出力する。これにより、被測定者に対して、活動年齢および体年齢に基づく生活改善の気づきを与えることができる。
【００８０】
図９に示すように、老化指数の値の符号により体年齢が改善するか、または悪化するかのアドバイスを出力する。具体的には、＋：悪化、０：年相応、−：改善に区分したアドバイスが出力される。
【００８１】
老化指数の表示態様は、これに限定されず、他の表示態様であってもよい。たとえば、老化指数が算出される毎に、算出した老化指数を測定日時とともに蓄積して格納し、格納された情報に基づき、老化指数の時系列の変化を、トレンドグラフなどで表示するようにしてもよい。
【００８２】
図９の老化指数に基づくアドバイスは、単独で出力されてもよく、図６または図７の表示とともに出力されるとしてもよい。
【００８３】
（取得した年齢の他の表示例）
活動年齢または体年齢の情報の出力は、図６と図７の出力態様に限定されない。たとえば、出力処理部１８は、図１の（Ａ）に示すように、ディスプレイ２０において、消費カロリー算出部１２が算出した１日分の消費カロリーとともに、活動年齢取得部１３が算出した活動年齢を表示する。被測定者は、表示された活動年齢が実年齢を指す、または実年齢に近い場合には、活動（運動）量が適当であることを判断でき、実年齢を大きく超えていれば活動（運動）量が足りないことを判断できて、適量の活動（運動）を継続しようという動機付けを得ることができる。
【００８４】
図１の（Ａ）では活動年齢を表示したが、これに代替して、または活動年齢とともに、体年齢取得部１６が取得する体年齢を表示するようにしてもよい。
【００８５】
出力される年齢に関する情報はこれに限定されない。たとえば、実年齢から活動年齢（または体年齢）を差引いた値（＋５歳など）、または活動年齢（または体年齢）が属する年代（２０代など）を指す情報であってもよい。
【００８６】
（他の実施の形態）
上述したフローチャートを用いて説明した活動年齢を算出し出力するための方法は、プログラムとして提供することもできる。方法を実現するためプログラムは、予め活動量計１００のメモリ５０に格納されており、ＣＰＵ１０がメモリ５０から当該プログラムを読出し、命令コードを実行することにより処理が実現される。このプログラムは、通信Ｉ／Ｆ６０を介して、通信回線を経由し、装置２００を含む外部の情報処理装置からメモリ５０にダウンロードされることにより供給されてもよい。
【００８７】
また、装置２００は、このようなプログラムおよび図４のデータを、メモリ２０２に格納し、ＣＰＵ２０１がメモリ２０２から当該プログラムを読出し、命令コードを実行することにより装置２００において活動年齢、体年齢の算出がされて、出力部２０３を介して図７または図８の表示がされてもよい。図４のデータは、通信Ｉ／Ｆ６０を介して活動量計１００から装置２００に送信される。装置２００により算出された活動年齢および体年齢、ならびに図７〜図９の出力情報は、活動量計１００に送信されて、活動量計１００のディスプレイ２０に表示されてもよい。
【００８８】
装置２００に活動年齢を算出させるために、プログラムは、装置２００に付属する図示のないフレキシブルディスク、ＣＤ−ＲＯＭ２０６、メモリ２０２のＲＯＭ（Read Only Memory）、ＲＡＭ（Random Access Memory）およびメモリカードなどのコンピュータ読取り可能な記録媒体に記録されたプログラム製品として、装置２００に提供される。あるいは、装置２００が内蔵する図示のないハードディスクなどの記録媒体に予めプログラムを記録させておくことにより、プログラムを提供することもできる。また、ネットワークを介した他の情報処理装置から装置２００へのダウンロードによって、プログラムを提供することもできる。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
１１  活動量取得部、１２  消費カロリー算出部、１３  活動年齢取得部、１５  基礎代謝量取得部、１６  体年齢取得部、１７  評価取得部、１８  出力処理部、１９  画像生成部、２０  ディスプレイ、３０  操作部、３１  ボタン、４０  加速度センサ部、５４  活動年齢、５６  実年齢、５９  体年齢、１００  活動量計、３０１  体重・体組成測定部、５２１  理想的消費カロリー、５２２  測定消費カロリー、５３１  理論的基礎代謝量、５３２  体組成情報に基づく基礎代謝量、Ｍｉ  活動強度データ。
【図２】
0005779921.tif 000002
【図３】
0005779921.tif 000003
【図４】
0005779921.tif 000004
【図５】
0005779921.tif 000005
【図６】
0005779921.tif 000006
【図７】
0005779921.tif 000007
【図８】
0005779921.tif 000008
【図９】
0005779921.tif 000009
【図１】
0005779921.tif 000010